【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  熱モードイメージングによってレジストパターンを作製するためのプレカーサーであり、該プレカーサーは、水性現像液中での溶解度が加熱部で増加するように配される、感熱組成物、及び水性現像液中での溶解に対して該感熱組成物の非加熱部の耐性を増加するための手段（以下、現像耐性手段という）を含み、上記現像耐性手段は、
（Ａ）ポリ（アルキレンオキシド）単位を含有する化合物；
（Ｂ）シロキサン；及び
（Ｃ）多価アルコールのエステル、エーテル及びアミド
を含む群から選択される１以上の化合物を含む、プレカーサー。
【請求項２】  上記現像耐性手段が、式［−ＣrＨ2r−Ｏ−］y（式中、ｒは２から５までの範囲内の整数であり、ｙは２から５０００の範囲内の整数である）の単位を含む請求項１記載のプレカーサー。
【請求項３】  上記現像耐性手段が、１以上の任意に置換されたアルキル又はフェニル基によって置換されたシロキサンを含む請求項１又は２記載のプレカーサー。
【請求項４】  感熱組成物と現像耐性手段とが単層中で提供され、上記層中のグループ（Ａ）、（Ｂ）及び（Ｃ）の化合物の合計量が少なくとも１重量％で且つ１０重量％以下である請求項１から３のいずれか１項記載のプレカーサー。
【請求項５】  感熱組成物が、水性現像液可溶性のポリマー物質（以下、活性ポリマーと言う）及び該ポリマー物質の水性現像液溶解度を減じる化合物（以下、可逆的不溶性化合物と言う）を含み、該組成物の水性現像液溶解度が加熱によって増加し且つ該組成物の水性現像液溶解度が入射ＵＶ輻射によって増加されない、請求項１から４のいずれか１項記載のプレカーサー。
【請求項６】  プレカーサーが、熱モードイメージング用の感熱ポジ型平版印刷版用プレカーサーである請求項１から５のいずれか１項記載のプレカーサー。
【請求項７】  熱モードイメージングによってレジストパターンを作製するためのプレカーサーであり、該プレカーサーは、水性現像液中での溶解度が加熱部で増加するように配される感熱組成物を含み、上記組成物は水性現像液可溶性のポリマー物質（以下、活性ポリマーと言う）、該ポリマー物質の水性現像液溶解度を減じる化合物（以下、可逆的不溶性化合物と言う）及び界面活性剤を含み、該組成物の水性現像液溶解度は加熱によって増加し且つ該組成物の水性現像液溶解度が入射ＵＶ輻射によって増加されない、プレカーサー。
【請求項８】  レジストパターンを生産するために熱モードイメージング可能なプレカーサーの製造方法であって、その溶解度が加熱部で増加するように配される感熱組成物、及び水性現像液中での溶解に対して該感熱組成物の非加熱部の耐性を増加するための手段（以下、現像耐性手段という）を支持体に供給することを含み、上記現像耐性手段は、
（Ａ）ポリ（アルキレンオキシド）単位を含有する化合物；
（Ｂ）シロキサン；及び
（Ｃ）多価アルコールのエステル、エーテル及びアミド
を含む群から選択される１以上の化合物を含む、製造方法。
【請求項９】  その溶解度が加熱した場合に増加するように配される感熱組成物、及び水性現像液中での溶解に対して該感熱組成物の非加熱部の耐性を増加するための手段（以下、現像耐性手段という）を含む配合物であって、上記現像耐性手段は、
（Ａ）ポリ（アルキレンオキシド）単位を含有する化合物；
（Ｂ）シロキサン；及び
（Ｃ）多価アルコールのエステル、エーテル及びアミド
を含む群から選択される１以上の化合物を含む配合物。
【請求項１０】  請求項９記載の配合物を作製するためのキット。
【請求項１１】  その溶解度が加熱した場合に増加するように配される感熱組成物、及び水性現像液中での溶解に対して該感熱組成物の非加熱部の耐性を増加するための手段（以下、現像耐性手段という）を含む画像部（インキ着肉性である）を含む印刷部材であって、上記現像耐性手段は、
（Ａ）ポリ（アルキレンオキシド）単位を含有する化合物；
（Ｂ）シロキサン；及び
（Ｃ）多価アルコールのエステル、エーテル及びアミド
を含む群から選択される１以上の化合物を含む印刷部材。
【手続補正２】
【補正対象書類名】明細書
【補正対象項目名】０２７３
【補正方法】変更
【補正の内容】
【０２７３】
本発明は、上述の実施態様の詳細に制限されない。本発明は、この明細書（何れかの添付した請求の範囲、要約書及び図面を含む）中に開示した特徴の、何れかの新規のもの、又は何れかの新規な組合せに拡張され、又はそのような開示された何れかの方法又はプロセスの工程の、何れかの新規のもの、又は何れかの新規な組合せに拡張される。
[追加の態様]
（１）  熱モードイメージングによってレジストパターンを作製するためのプレカーサーであり、該プレカーサーは、水性現像液中での溶解度が加熱部で増加するように配される、感熱組成物、及び水性現像液中での溶解に対して該感熱組成物の非加熱部の耐性を増加するための手段（以下、現像耐性手段という）を含み、上記現像耐性手段は、
（Ａ）ポリ（アルキレンオキシド）単位を含有する化合物；
（Ｂ）シロキサン；及び
（Ｃ）多価アルコールのエステル、エーテル及びアミド
を含む群から選択される１以上の化合物を含む、プレカーサー。
（２）  上記現像耐性手段が非イオン性である（１）記載のプレカーサー。
（３）  上記現像耐性手段が、ポリオキシエチレンソルビトールヘキサステアラート、ポリオキシエチレンソルビトールテトラステアラート、ポリオキシエチレンソルビトールテトラオレアート、ポリオキシエチレンソルビトールヘキサオレアート、ポリオキシエチレンソルビトールモノオレアート、ポリオキシエチレンソルビトールモノラウラート、ポリオキシエチレンソルビトールテトララウラート、ポリオキシエチレンソルビトールヘキサラウラート、ポリオキシプロピレンソルビトールヘキサステアラート、ポリオキシプロピレンソルビトールテトラオレアート、ポリオキシプロピレンソルビトールヘキサオレアート、ポリオキシプロピレンソルビトールモノラウラート、ポリオキシエチレン−ポリオキシプロピレンソルビトールヘキサステアラート、ポリオキシエチレン−ポリオキシプロピレンソルビトールテトラステアラート、ポリオキシエチレン−ポリオキシプロピレンソルビトールモノオレアート、ポリオキシエチレン−ポリオキシプロピレンソルビトールテトラオレアート、ポリオキシエチレンソルビトールヘキサステアリルエーテル、ポリオキシエチレンソルビトールテトラステアリルエーテル、ポリオキシエチレンソルビトールテトラオレイルエーテル、ポリオキシエチレンソルビトールモノラウリルエーテル及びポリオキシエチレンソルビトールモノオレイルエーテル、ポリオキシエチレンラウリルエーテル、ポリオキシエチレンセチルエーテル、ポリオキシエチレンステアリルエーテル、ポリオキシエチレンオレイルエーテル、ポリオキシエチレン高級アルコールエーテル、ポリオキシエチレンオクチルフェニルエーテル、ポリオキシエチレンノニルフェニルエーテル、ポリオキシエチレンソルビタンモノラウラート、ポリオキシエチレンソルビタンモノパルミタート、ポリオキシエチレンソルビタンモノステアラート、ポリオキシエチレンソルビタントリステアラート、ポリオキシエチレンソルビタンモノオレアート、ポリオキシエチレンソルビタントリオレアート、ポリオキシエチレンソルビタンテトラオレアート、ポリエチレングリコールモノオレアート、ポリエチレングリコールジステアラート、ポリオキシエチレンのニルフェニルエーテル−ホルムアルデヒド縮合物、酸化エチレン−酸化プロピレンブロックコポリマー、ポリエチレングリコール、テトラエチレングリコール、ポリオキシエチレンステアリルエーテル、ポリオキシエチレンソルビトールラウリルエーテル、及びポリオキシエチレンヒマシ油から選択される（１）から（２）のいずれか１つに記載のプレカーサー。
（４）  上記現像耐性手段が、フェニルアルキルシロキサンとジアルキルシロキサンから選択される（１）から（３）のいずれか１つに記載のプレカーサー。
（５）  上記現像耐性手段が、多価アルコールのラウラート、パルミタート、ステアラート及びオレアートから選択される（１）から（４）のいずれか１つに記載のプレカーサー。
（６）  上記現像手段が、ラウリル、セチル、ステアリル、オレイル及びフェニルエーテルから選択される（１）から（５）のいずれか１つに記載のプレカーサー。
（７）  感熱組成物がフェノール樹脂を含む（１）から（６）のいずれか１つに記載のプレカーサー。
（８）  感熱組成物が、水性現像液可溶性のポリマー物質（以下、活性ポリマーと言う）及び該ポリマー物質の水性現像液溶解度を減じる化合物（以下、可逆的不溶性化合物と言う）を含み、該組成物の水性現像液溶解度が加熱によって増加し且つ該組成物の水性現像液溶解度が入射ＵＶ輻射によって増加されない、（１）から（８）のいずれか１つに記載のプレカーサー。
（９）  上記活性ポリマーが、ヒドロキシ、カルボン酸、アミノ、アミド及びマレイミド官能基から選択される１又はそれ以上の官能基を含む（８）記載のプレカーサー。
（１０）  上記活性ポリマーがフェノール樹脂である（８）又は（９）記載のプレカーサー。
（１１）  上記可逆的不溶性化合物が、窒素を含有し、且つ少なくとも１の窒素原子が、第四級化され、複素環に組み込まれ、又は第四級化され且つ複素環に組み込まれた、のいずれかである（８）から（１０）のいずれか１つに記載のプレカーサー。
（１２）  上記可逆的不溶性化合物がカルボニル官能基を含む（８）から（１１）のいずれか１つに記載のプレカーサー。
（１３）  カルボニル基を含む化合物が、α−ナフトフラボン、β−ナフトフラボン、２，３−ジフェニル−１−インデネオン、フラボン、フラバノン、キサントン、ベンゾフェノン、Ｎ−（４−ブロモブチル）フタルイミド及びフェナントレンキノンから選択される（１２）記載のプレカーサー。
（１４）  上記可逆的不溶性化合物が、一般式Ｑ1−Ｓ（Ｏ）a−Ｑ2（式中、Ｑ1は任意に置換されたフェニル又はアルキル基を表し、ａは０，１又は２を表し、Ｑ2はハロゲン原子又は何れかのアルコキシ基を表す）である（８）から（１４）のいずれか１つに記載のプレカーサー。
（１５）  上記可逆的不溶性化合物がアクリジンオレンジベース（ＣＩソルベントオレンジ１５）である（８）から（１０）のいずれか１つに記載のプレカーサー。
（１６）  上記可逆的不溶性化合物が、フェロセニウム化合物である（８）から（１０）のいずれか１つに記載のプレカーサー。
（１７）  上記感熱組成物が、レゾール樹脂、ノボラック樹脂、潜在ブレーンステッド酸及び赤外線吸収剤を含む（１）から（５）のいずれか１つに記載のプレカーサー。
（１８）  上記感熱組成物が、ノボラック樹脂、ノボラック樹脂用の縮合剤及び輻射感受性潜在酸生成化合物を含む（１）から（５）のいずれか１つに記載のプレカーサー。
（１９）  上記縮合剤が、任意に置換されたポリビニルフェノール化合物又はビス−ヒドロキシアルキル化合物である（１８）記載のプレカーサー。
（２０）  輻射吸収化合物又はその化合物の組合せを含有する層を含む、（１）から（１９）のいずれか１つに記載のプレカーサー。
（２１）  上記輻射吸収性化合物が、輻射を熱に変換するよう配される（２０）記載のプレカーサー。
（２２）  上記輻射吸収化合物が顔料又は染料である（２０）又は（２１）記載のプレカーサー。
（２３）  プレカーサーが、電子部品を製造するためのものである（１）から（２２）のいずれか１つに記載のプレカーサー。
（２４）  上記感熱組成物が、官能化したポリマー物質がそれが輻射の送達前に現像液不溶性であり且つその後は現像液可溶性である特性を有するように、その上に官能基Ｑを有するポリマー物質を含み、該官能基Ｑは、上記輻射への露光で除去される不安定保護基によって保護した場合においては酸基又は酸生成基を含まない、（１）から（７）のいずれか１つに記載のプレカーサー。
（２５）  上記感熱組成物が、ポリマー物質とジアジド機能基を含む、上記組成物はそれが輻射の送達前に現像液不溶性であり且つその後は現像液可溶性である特性を有し、上記輻射は完全な又は優先的な直接の熱輻射か又は５００ｎｍを越える波長の電磁輻射である、（１）から（７）のいずれか１つに記載のプレカーサー。
（２６）  （１）から（２５）のいずれか１つに記載のプレカーサーを用いたレジストパターンの製造方法であって、上記感熱組成物への熱の像様適用を生じさせる工程を含む方法。
（２７）  それぞれが後述する実施例に関して独立して実質上記載した、プレカーサー、方法、配合物、キット及び印刷部材。